(57)【要約】【課題】制御端末からＩＰビデオ信号用スイッチのテーブルメモリの設定を即時に切り替える。【解決手段】ＩＰパケット化された映像信号のルーティングを行うＩＰビデオ信号用スイッチにおいて、マルチキャストＭＡＣアドレスごとに、１または複数のポートへの転送の可否を示す値が格納されたポートマップを含むテーブルメモリと、制御用パケットを受信し、前記制御パケットからポートマップ値、ポートマップオフセット、およびコントロールフラグを読み出し、前記ポートマップの先頭から前記ポートマップオフセットの位置から、前記コントロールフラグに従って、前記ポートマップ値を付加、削除または置換を行う制御部とを備える。【選択図】図２
2017038308.tif 000002
【特許請求の範囲】
【請求項１】
ＩＰパケット化された映像信号のルーティングを行うＩＰビデオ信号用スイッチにおいて、
マルチキャストＭＡＣアドレスごとに、１または複数のポートへの転送の可否を示す値が格納されたポートマップを含むテーブルメモリと、
制御用パケットを受信し、前記制御パケットからポートマップ値、ポートマップオフセット、およびコントロールフラグを読み出し、前記ポートマップの先頭から前記ポートマップオフセットの位置から、前記コントロールフラグに従って、前記ポートマップ値を付加、削除または置換を行う制御部と
を備えることを特徴とするＩＰビデオ信号用スイッチ。
【請求項２】
ＩＰパケット化された映像信号のルーティングを行うＩＰビデオ信号用スイッチのテーブルメモリの設定方法において、
制御用パケットを受信するステップと、
前記制御パケットからポートマップ値、ポートマップオフセット、およびコントロールフラグを読み出し、前記テーブルメモリに含まれるポートマップの先頭から前記ポートマップオフセットの地点から、前記コントロールフラグに従って、前記ポートマップ値を付加、削除、置換を行うステップと
を備えることを特徴とするテーブルメモリの設定方法。
【発明の詳細な説明】
【技術分野】
【０００１】
本発明は、ＩＰビデオ信号用スイッチに関し、より詳細には、放送局内外のネットワークに配置され、ＩＰパケット化された映像信号の経路選択を行うＩＰビデオ信号用スイッチに関する。
【背景技術】
【０００２】
現在、放送局内外のネットワークは、ＢＮＣケーブルによるアナログ映像信号の伝送が主流である。一方、撮影機材、編集機材等にデジタル信号処理技術が導入され、映像信号のデジタル化が進められている。このような背景のもと、デジタル化された映像信号をＩＰパケットに収容し、光ファイバ伝送を適用したネットワークの構築が注目されている。ＩＰパケット化された映像信号（ＩＰビデオ信号）により、放送局内外のネットワークにおける配信制御、すなわちスイッチング、ルーティング、ユニキャスト／マルチキャスト、バッファリング等が容易になり、より柔軟なネットワークを構築することができる。
【０００３】
図１に、ＩＰビデオ信号の光ファイバ伝送を適用したＩＰベース放送システムの構成例を示す。ＩＰベース放送システム１００は、４０ＧｂｉｔＥｔｈｅｒｎｅｔ（４０ＧｂＥ）、１０ＧｂｉｔＥｔｈｅｒｎｅｔ（１０ＧｂＥ）またはＡＴＭ、ＳＤＨ等のネットワーク（ＷＡＮ）１１０を介して、基幹放送局１２０、地方放送局１３０およびスタジアム等の外部施設１４０が相互に接続されている。基幹放送局１２０は、１０ＧｂＥまたは１ＧＥｔｈｅｒｎｅｔ（１ＧｂＥ）等のネットワーク（ＬＡＮ）１２１を介して、回線センター１２２のＩＰビデオ信号用スイッチ１５１、主調整室１２３のＩＰ伝送装置１５４、スタジオ１２４のＩＰ伝送装置１５５および編集室１２５のＩＰ伝送装置１５６が相互に接続されている。地方放送局１３０においても、ＬＡＮ１３１を介して、基幹放送局１２０と同様の設備が設けられている。基幹放送局１２０のＩＰビデオ信号用スイッチ１５１、ＩＰビデオ信号用スイッチ１６１、外部施設１４０のＩＰ伝送装置１７１がＷＡＮ１１０に接続され、相互にＩＰビデオ信号の送受信を行うことができる。
【０００４】
図２に、従来のＩＰビデオ信号用スイッチの構成を示す。ＩＰビデオ信号用スイッチ２００は、複数のラインカード２０２〜２０４が接続されたスイッチカード２０１を有している。スイッチカード２０１は、クロスバースイッチ（ＳＷ）２１１と制御部（ＣＮＴ）２１２とを備えている。ラインカード２０２〜２０４は、物理ポートに対応しており、４０ＧｂＥ、１０ＧｂＥまたは１ＧｂＥ等のレイヤ１インタフェースに応じた回線終端部（ＬＴ）２２１と、パケットプロセッサ（ＰＰ）２２２と、パケットバッファ（ＰＢ）２２３とを備えている。
【０００５】
ＩＰビデオ信号用スイッチ２００は、レイヤ２（Ｌ２）パケットレベルでのスイッチング、レイヤ３（Ｌ３）パケットレベルでのスイッチング、ＶＬＡＮ（仮想ＬＡＮ）によるスイッチングが可能である。Ｌ３スイッチとして、ユニキャスト動作を行う場合の一例を以下に説明する。
【０００６】
入力側ラインカードのパケットプロセッサ２２２は、受信したＩＰビデオ信号のＩＰパケットのヘッダーからＩＰアドレスを取得し、テーブルメモリ（ＴＭ）２２４に格納されたルーティングテーブル（ＩＰアドレステーブル）を参照して、転送先のラインカード（物理ポート番号）を求める。パケットプロセッサ２２２は、パケットバッファ２２３の転送先のラインカードに対応する送信キューに、受信したＩＰパケットを格納する。ＩＰパケットは、送信キューから、クロスバースイッチ２１１を介して、転送先のラインカードのパケットバッファの受信キューに転送される。
【０００７】
転送先のラインカード、すなわち出力側ラインカードのパケットプロセッサ２２２は、転送されたＩＰパケットのヘッダーからＩＰアドレスを取得し、テーブルメモリ（ＴＭ）２２４に格納されたルーティングテーブル（ＩＰアドレステーブル）を参照してネクストホップのＩＰアドレスを求める。次に、ＭＡＣアドレステーブルを参照して、ネクストホップのＩＰアドレスに到達するための宛先ＭＡＣアドレスを調べる。パケットプロセッサ２２２は、ＭＡＣアドレステーブルから取得した宛先ＭＡＣアドレスに基づいて、転送されたＩＰパケットのヘッダーを書き換えて、回線終端部（ＬＴ）２２１からＩＰパケットを出力する。
【０００８】
なお、テーブルメモリ２２４には、マルチキャスト通信のためのポートマップ、ＶＬＡＮ設定のためのＶＬＡＮテーブル、パケットのフロー制御（優先制御、ＱｏＳ制御）のためのフローテーブル等も格納されている。ここで、ポートマップとは、ＭＡＣアドレス、ＩＰアドレス、ＶＬＡＮ等の値をパラメータとして、パケットの出力処理の対象となる物理ポート番号を、ビットマップによって表したテーブルである。パケットプロセッサは、入力されたパケットに格納されているパラメータを基に、ポートマップを参照し、一致したパラメータに対応する物理ポートに対して、パケットの出力処理を行う。具体例については、図３を参照して後述する。
【０００９】
ＩＰベース放送システムにおいては、実務上、ＩＰビデオ信号のマルチキャスト通信が多用される。Ｌ２スイッチとして、マルチキャスト動作を行う場合、入力側ラインカードのパケットプロセッサ２２２は、受信したＩＰパケットのヘッダーからマルチキャストＭＡＣアドレスを取得し、テーブルメモリ（ＴＭ）２２４に格納されたポートマップを参照して、マルチキャストＭＡＣアドレスから、受信したＩＰパケットの送信先となる複数の物理ポート番号を取得する。パケットプロセッサ２２２は、受信したＩＰパケットから求めた複数の物理ポート番号に対応する送信キューに、受信したＩＰパケットを複製して格納する。ＩＰパケットは、送信キューから、クロスバースイッチ２１１を介して、転送先の複数のラインカードのパケットバッファの受信キューに転送される。転送先のラインカード、すなわち出力側ラインカードのパケットプロセッサ２２２は、転送されたＩＰパケットを回線終端部（ＬＴ）２２１より送信する。
【００１０】
Ｌ３スイッチとして、マルチキャスト動作を行う場合には、入力側ラインカードのパケットプロセッサ２２２は、受信したＩＰパケットのヘッダーからマルチキャストＩＰアドレスを取得し、テーブルメモリ（ＴＭ）２２４に格納されたポートマップを参照して、マルチキャストＩＰアドレスから、受信したＩＰパケットの送信先となる複数の物理ポート番号を取得する。パケットプロセッサ２２２は、受信したＩＰパケットから求めた複数の物理ポート番号に対応する送信キューに、受信したＩＰパケットを複製して格納する。ＩＰパケットは、送信キューから、クロスバースイッチ２１１を介して、転送先の複数のラインカードのパケットバッファの受信キューに転送される。転送先のラインカード、すなわち出力側ラインカードのパケットプロセッサ２２２は、転送されたＩＰパケットを回線終端部（ＬＴ）２２１より送信する。
【００１１】
スイッチカード２０１の制御部２１２もテーブルメモリを有し、クロスバースイッチ２１１の設定を行っている。また、制御部２１２は、回線センター１２２の制御サーバ１５２を介して制御端末１５３に接続され、制御端末１５３からのルートの設定等の制御が可能になっている。制御部２１２は、パケットプロセッサ２２２に接続され、制御サーバ１５２からの設定メッセージにより、各ラインカードのテーブルメモリ２２４の書き換え等を行う。
【００１２】
上述したＩＰビデオ信号用スイッチは、大容量のＩＰビデオ信号用スイッチの一例であり、小容量のＩＰビデオ信号用スイッチでは、ラインカードごとにパケットプロセッサ、テーブルメモリを設けず、スイッチカードに設けられた制御部とテーブルメモリにより、スイッチカードと複数のラインカードを一括して制御している。
【発明の概要】
【発明が解決しようとする課題】
【００１３】
従来のＩＰビデオ信号用スイッチは、スイッチカードの制御部に接続されたtelnet回線を用いて、制御端末から制御する方法が知られていた。しかしながら、この方法では、基幹放送局や地方放送局のネットワーク管理者が、ＩＰビデオ信号用スイッチの設定を個々に行わなければならず、ネットワーク構成が複雑になるにつれ、ネットワークの実用的な運用ができなくなっていた。
【００１４】
そこで、OpenFlowに基づいたＳＤＮ（Software Defined Network）アーキテクチャに基づいて制御する方法が検討されている。OpenFlowコントローラと呼ばれる制御サーバが、複数のOpenFlowスイッチ（ルータ、Ｌ２スイッチ、Ｌ３スイッチ）を一括して管理している。OpenFlowコントローラによって作成されたフローテーブルを、OpenFlowプロトコルにより各OpenFlowスイッチに配送し、各OpenFlowスイッチは、フローテーブルに基づいてＩＰパケットの転送を実行する。
【００１５】
フローテーブルに格納される情報には、ラインカードの物理ポート番号、送信元／宛先ＭＡＣアドレス、ＶＬＡＮ  ＩＤ、送信元／宛先ＩＰアドレス、ＴＣＰ／ＵＤＰのポート番号などがあり、レイヤ１からレイヤ４まで幅広く対応している。ＳＤＮによる制御では、各レイヤの情報を組み合わせて高度な制御が可能である。
【００１６】
OpenFlowプロトコルによってOpenFlowスイッチを設定するためには、制御端末から制御サーバにアクセスして、フローテーブルの更新を行うが、更新されるごとに、OpenFlowプロトコルにより各OpenFlowスイッチにルート設定メッセージが配送される。従って、マルチキャスト通信の経路設定など、更新するOpenFlowスイッチ、フローテーブルの数が増えるごとに、ルート設定メッセージが増大し、ルートの設定の切り替えに時間がかかってしまう。
【００１７】
ＩＰベース放送システムにおいては、ＩＰビデオ信号の転送先を頻繁に切り替える必要があること、切り替えた結果をモニター等により目視で確認する必要があることから、ルーティングテーブル、フローテーブル等を瞬時に書き換える必要がある。しかしながら、上述したOpenFlowプロトコルでは、瞬時のスイッチング、高速なルート設定が困難であるという問題があった。
【課題を解決するための手段】
【００１８】
本発明の目的は、制御端末からテーブルメモリの設定を即時に切り替えることができるようにしたＩＰビデオ信号用スイッチを提供することにある。
【００１９】
このような目的を達成するために、一実施態様は、ＩＰパケット化された映像信号のルーティングを行うＩＰビデオ信号用スイッチにおいて、マルチキャストＭＡＣアドレスごとに、１または複数のポートへの転送の可否を示す値が格納されたポートマップを含むテーブルメモリと、制御用パケットを受信し、前記制御パケットからポートマップ値、ポートマップオフセット、およびコントロールフラグを読み出し、前記ポートマップの先頭から前記ポートマップオフセットの位置から、前記コントロールフラグに従って、前記ポートマップ値を付加、削除または置換を行う制御部とを備えることを特徴とする。
【００２０】
他の実施態様は、ＩＰパケット化された映像信号のルーティングを行うＩＰビデオ信号用スイッチのテーブルメモリの設定方法において、制御用パケットを受信するステップと、前記制御パケットからポートマップ値、ポートマップオフセット、およびコントロールフラグを読み出し、前記テーブルメモリに含まれるポートマップの先頭から前記ポートマップオフセットの地点から、前記コントロールフラグに従って、前記ポートマップ値を付加、削除、置換を行うステップとを備えることを特徴とする。
【発明の効果】
【００２１】
本発明によれば、制御部が、ポートマップ値、ポートマップオフセット、およびコントロールフラグを含む設定メッセージを用いることにより、全てのラインカードのポートマップを一斉に書き換えることができるので、瞬時のスイッチング、高速なルート設定が可能となる。
【図面の簡単な説明】
【００２２】
【図１】ＩＰビデオ信号の光ファイバ伝送を適用したＩＰベース放送システムの構成例を示す図である。
【図２】従来のＩＰビデオ信号用スイッチの構成を示す図である。
【図３】ＩＰビデオ信号用スイッチのテーブルメモリに格納されたポートマップの一例を示す図である。
【図４】制御端末からＩＰビデオ信号用スイッチのテーブルメモリを設定する方法を示すフローチャートである。
【図５】従来のポートマップの設定メッセージの一例を示す図である。
【図６】本実施形態のポートマップの設定メッセージの一例を示す図である。
【発明を実施するための形態】
【００２３】
以下、図面を参照しながら本発明の実施形態について詳細に説明する。本実施形態のＩＰビデオ信号用スイッチは、ハードウェア構成としては、従来のＩＰビデオ信号用スイッチと同じ構成である。本実施形態では、制御端末から制御サーバを介して複数のＩＰビデオ信号用スイッチに同時に設定メッセージを送信し、ＩＰビデオ信号用スイッチでは、テーブルメモリに格納された複数のルーティングテーブル等を同時に書き換えることにより、高速なルート設定を可能にしている。以下、本実施形態では、ＩＰベース放送システムにおけるマルチキャスト通信を例に説明する。
【００２４】
最初に、マルチキャスト通信の場合のＩＰビデオ信号用スイッチの動作について説明する。受信したＩＰビデオ信号のＩＰパケットのヘッダーには、ユニキャスト通信かマルチキャスト通信かを識別するフラグが設定されている。マルチキャスト通信として設定されている場合には、宛先情報として、マルチキャストＩＰアドレス、マルチキャストＭＡＣアドレスが設定されている。Ｌ３スイッチとしてマルチキャスト動作を行う場合、入力側ラインカードのパケットプロセッサ２２２は、テーブルメモリ２２４内のマルチキャストＩＰアドレステーブルを参照して、マルチキャストＩＰアドレスから転送先のラインカードを求める。パケットプロセッサ２２２は、パケットバッファ２２３の転送先のラインカードに対応する送信キューに、受信したＩＰパケットを格納する。ＩＰパケットは、送信キューから、クロスバースイッチ２１１を介して、転送先のラインカードのパケットバッファの受信キューに転送される。転送先のラインカード、すなわち出力側ラインカードのパケットプロセッサ２２２は、転送されたＩＰパケットを回線終端部（ＬＴ）２２１より送信する。
【００２５】
Ｌ２スイッチとしてマルチキャスト動作を行う場合、入力側ラインカードのパケットプロセッサ２２２は、受信したＩＰビデオ信号のＩＰパケットのヘッダーからマルチキャストＭＡＣアドレスを取得し、テーブルメモリ（ＴＭ）２２４に格納されたＭＡＣアドレステーブルを参照して、転送先のラインカードを求める。パケットプロセッサ２２２は、パケットバッファ２２３の転送先のラインカードに対応する送信キューに、受信したＩＰパケットを格納する。ＩＰパケットは、送信キューから、クロスバースイッチ２１１を介して、転送先のラインカードのパケットバッファの受信キューに転送される。転送先のラインカード、すなわち出力側ラインカードのパケットプロセッサ２２２は、転送されたＩＰパケットを回線終端部（ＬＴ）２２１より送信する。
【００２６】
図３に、ＩＰビデオ信号用スイッチのテーブルメモリに格納されたポートマップの一例を示す。ここでは、マルチキャストＭＡＣアドレスの値をパラメータとして、パケットの出力処理の対象となる物理ポート番号を、ビットマップによって表している。マルチキャストＭＡＣアドレスごとに１行が割り当てられ、転送先の物理ポート番号ごとに１列が割り当てられたテーブルである。例えば、マルチキャストＭＡＣアドレス「ＸＸＸＸ」のとき、出力ポート番号１，３，ｋのカラムが「１」に設定されているので、受信したＩＰパケットを３つの物理ポートに、マルチキャストすることを表している。このようにして、パケットプロセッサ２２２は、マルチキャストＭＡＣアドレスから、受信したＩＰパケットを複製、転送する物理ポートを決定する。
【００２７】
次に、マルチキャスト通信の経路の設定について説明する。図４に、制御端末からＩＰビデオ信号用スイッチのテーブルメモリを設定する方法を示す。制御端末１５３から制御サーバ１５２にアクセスして、マルチキャスト通信の経路の設定を行う（Ｓ３０２）。制御サーバ１５２は、設定された経路情報から、パケットの複製、転送を行うＩＰビデオ信号用スイッチを抽出し、各々のＩＰビデオ信号用スイッチのルーティングテーブル等を書き換えるための設定メッセージを生成する（Ｓ３０４）。制御サーバ１５２は、複数のＩＰビデオ信号用スイッチ１５１，１６１のスイッチカード２０１の制御部２１２に対して、同時に設定メッセージを送信する。
【００２８】
制御部２１２は、設定メッセージの内容に従って、ラインカードのテーブルメモリ２２４に格納されたルーティングテーブル、ＭＡＣアドレステーブル、ポートマップ等の内容を書き換える制御コマンドを生成する（Ｓ３０６）。制御部２１２が、各ラインカードのパケットプロセッサ２２２に制御コマンドを送信すると、パケットプロセッサ２２２は、テーブルメモリ２２４の内容を書き換える（Ｓ３０８）。
【００２９】
制御サーバ１５２からＩＰビデオ信号用スイッチ１５１，１６１との間は、ＴＣＰ／ＩＰベースのネットワークで接続されている。本実施形態では、設定メッセージは、ＩＰビデオ信号用スイッチを設定するための専用のプロトコル（以下、プロビジョニングプロトコルという）によって転送される。なお、上述したOpenFlowプロトコルを適用することもできる。
【００３０】
図５に、従来のOpenFlowによるルート設定メッセージの一例を示す。ルート設定メッセージ（Modifiy Flow Entry Message）は、ヘッダー（OpenFlow Header）、条件フィールド（Match Field）、命令（Instruction）、アクションリスト（Action List）の各部から構成されている。条件フィールドに格納された、入力ポート番号、ＶＬＡＮ−ＩＤ、ＩＰアドレス、ＭＡＣアドレス等をパラメータとして、出力ポートを指定することができる。
【００３１】
ＩＰビデオ信号用スイッチの制御部２１２は、制御サーバ１５２からルート設定メッセージを受信すると、テーブルメモリ２２４の内容を書き換える制御コマンドを生成する。制御部２１２は、ルート設定メッセージ内の入力ポート番号から、テーブルメモリ２２４の書き換えの必要な入力側ラインカードとなるラインカードを抽出する。次に、制御部２１２内に格納されているルーティングテーブル（マルチキャストＩＰアドレステーブル）を参照して、入力側ラインカードのテーブルメモリ２２４内のマルチキャストＩＰアドレステーブルを書き換えるための設定コマンドを生成する。制御部２１２は、生成した設定コマンドを、抽出した入力側ラインカードのパケットプロセッサ２２２に送出する。
【００３２】
さらに、制御部２１２は、出力ポート番号から、テーブルメモリ２２４の書き換えの必要な出力側ラインカードとなるラインカードを抽出する。ルート設定メッセージに指示された宛先ＩＰアドレスのパケットをＳＷ２１１から受信した場合には、回線終端部（ＬＴ）２２１より送信するようにテーブルメモリ２２４を書き換えるための設定コマンドを生成する。制御部２１２は、生成した設定コマンドを、抽出した出力側ラインカードのパケットプロセッサ２２２に送出する。
【００３３】
最後に、制御部２１２は、ルート設定メッセージに指示された宛先ＩＰアドレスのパケットが入力されたら、上記の出力側ラインカードに転送するように、ＳＷ２１１を設定する。
【００３４】
OpenFlowによるルート設定メッセージは、入力ポート番号と出力ポート番号とがペアで格納されており、ポートマップの書き換えは、入力ポート番号と出力ポート番号とにより決まる１経路ごとに行われていた。従って、マルチキャスト通信の経路設定の切り替えには時間（数秒から数十秒）がかかってしまうという問題があった。
【００３５】
図６に、本実施形態のポートマップの設定メッセージの一例を示す。設定メッセージには、従来の出力ポート番号に代えて、ポートマップオフセット、コントロール、ポートマップ値が格納されている。一例として、ポートマップオフセットは２バイトで、ポートマップのテーブル内で書き換えの必要な部分の先頭位置（出力ポート番号）を表している。ポートマップ値は４バイトで、３２個分の物理ポートに対する設定値を表し、ポートマップオフセットで指定された先頭位置から、 “１”を加算する物理ポートの位置を示している。例えば、ポートマップオフセットが１０進数で「５０」を表し、ポートマップ値がビット表示で「１００００００１００００００００・・・」とする。ポートマップによって設定される出力ポート番号は、ポートマップ値が“１”であるビット表示位置、すなわち先頭位置の「５０」と７番目の「５７」が設定対象の出力ポートとなる。このようにして、本実施形態の設定メッセージでは、複数の出力ポート番号を１つのメッセージで指示することできる。
【００３６】
制御部２１２は、制御サーバ１５２から設定メッセージを受信すると、テーブルメモリ２２４の内容を書き換える制御コマンドを生成する。制御部２１２は、設定メッセージ内の入力ポート番号から、テーブルメモリ２２４の書き換えの必要な入力側ラインカードとなるラインカードを抽出し、入力側ラインカードのテーブルメモリ２２４内のマルチキャストＩＰアドレステーブルを書き換えるための設定コマンドを生成する。
【００３７】
さらに、制御部２１２は、ポートマップオフセットとポートマップから算出した１または複数の出力ポート番号により、テーブルメモリ２２４の書き換えの必要な１または複数の出力側ラインカードを抽出する。ルート設定メッセージに指示された宛先ＩＰアドレスのパケットをＳＷ２１１から受信した場合には、回線終端部（ＬＴ）２２１より送信するようにテーブルメモリ２２４を書き換えるための設定コマンドを生成する。制御部２１２は、生成した設定コマンドを、抽出した出力側ラインカードのパケットプロセッサ２２２に送出する。
【００３８】
最後に、制御部２１２は、ルート設定メッセージに指示された宛先ＩＰアドレスのパケットが入力されたら、上記の出力側ラインカードに転送するように、ＳＷ２１１を設定する。
【００３９】
コントロールは、２ビットの制御ビットであり、例えば、「００」は置換、「１０」は削除、「１１」は加算を表している。置換は、ポートマップの現在の値を「ポートマップ値」に置換し、加算は、ポートマップの現在の値に「ポートマップ値」を論理加算することを表す。削除は、ポートマップの現在の値が「１」となっているビット表示を「０」クリアすることを表す。例えば、制御部２１２は、「コントロール＝００」に従って、ポートマップのテーブルの先頭位置から「ポートマップオフセット」を加算した位置を先頭位置として、その位置から「ポートマップ値」に置換する設定コマンドを生成する。
【００４０】
制御部２１２は、生成した設定コマンドを、設定メッセージで設定対象となる出力ポートに対応するラインカードのパケットプロセッサの各々に送信する。ラインカードのパケットプロセッサ２２２の各々は、設定コマンドに従って、テーブルメモリ２２４内のポートマップを書き換える。
【００４１】
本実施形態においては、全てのラインカードのポートマップを一斉に書き換えることができるので、制御サーバから設定メッセージが送信されたＩＰビデオ信号用スイッチの全てに対して、ほぼ同時にルーティングテープルの書き換えることができる。これにより、制御端末からテーブルメモリの設定を即時に切り替えることができ瞬時のスイッチング、高速なルート設定が可能となる。具体的には、ＩＰパケット化される映像信号の１フレーム（３０ｍｓ）ごとに、マルチキャスト通信の経路を切り替えることができる。
【００４２】
本実施形態では、Ｌ３スイッチとしてのマルチキャスト動作と、Ｌ２スイッチとしてのマルチキャスト動作について述べたが、ユニキャスト動作を行う場合のＩＰアドレステーブルの書き換えも同様に行うことができる。また、図６に示した設定メッセージを利用して、ＶＬＡＮテーブルの設定も行うことができる。
【符号の説明】
【００４３】
１００  ＩＰベース放送システム
１２０  基幹放送局
１３０  地方放送局
１４０  外部施設
２００  ＩＰビデオ信号用スイッチ
２０１  スイッチカード
２０２〜２０４  ラインカード
２１１  クロスバースイッチ（ＳＷ）
２１２  制御部（ＣＮＴ）
２２１  回線終端部（ＬＴ）
２２２  パケットプロセッサ（ＰＰ）
２２３  パケットバッファ（ＰＢ）
２２４  テーブルメモリ（ＴＭ）
【図１】
2017038308.tif 000003
【図２】
2017038308.tif 000004
【図３】
2017038308.tif 000005
【図４】
2017038308.tif 000006
【図５】
2017038308.tif 000007
【図６】
2017038308.tif 000008